(57)【要約】  【課題】ゴルフプレイ中、携帯通信端末に打球情報を入力し、プレイ終了後スコア、打球情報、ランキングを印刷でき、スコアの記録およびプレイ結果を検討しやすくするゴルフスコア評価システムを提供する。  【解決手段】携帯通信端末にゴルフ場のコースデータを受信する手段と、受信したコースデータを表示し打球情報を入力する手段と、打球情報からスコア計算する手段と、スコアおよび打球情報からランキング計算する手段と、スコアと打球情報とランキングを印刷する手段とを備える。  【選択図】図１
2007190230.tif 000002
【特許請求の範囲】
【請求項１】
インターネットに接続可能なゴルフプレイヤ（以下、利用者ともいう）所有の携帯通信端末と、
インターネットに接続されたサーバと、
インターネットに接続されたゴルフ場端末を備え、
利用者がプレイ前に前記サーバから利用者の携帯通信端末にインターネットを介しゴルフ場のコースデータを受信し、プレイ中、打球情報およびスコア入力したデータをプレイ終了後サーバに送信することによりスコアランキングが計算され、前記ゴルフ場端末にてサーバから利用者のスコア、打球情報およびランキング情報を受信し印刷するゴルフスコア評価システムであって、
前記携帯通信端末は、前記サーバからプログラムをダウンロードし記憶し実行することができ、初めて利用する場合はユーザ情報を前記サーバへ送信することで前記携帯通信端末固有のユーザＩＤを受信し記憶部で記憶する手段と、ゴルフ場にて利用料金を支払うことで前記ゴルフ場端末から利用者のユーザＩＤおよびゴルフ場コードを前記サーバへ送信することで前記携帯通信端末固有のパスワードを受信する手段と、前記携帯通信端末から記憶部に保存されているユーザＩＤおよびゴルフ場で発行されたパスワードを前記サーバへ送信することでゴルフ場のコースデータを受信する手段と、プレイ中、前記携帯通信端末の画面にコース図が表示され、打球位置、クラブ選択を入力するとスコア計算および打球距離計算する手段と、プレイ終了後、ユーザＩＤ、パスワード、入力した情報、計算されたスコア、コース毎の打球距離を前記サーバへ送信する手段と、スコア数、パット数、打球情報などから順位付けを行っているランキングファイルと比較し順位を求めランキングファイルの更新を行い、また、ユーザスコアファイルに書き込む手段と、前記ゴルフ場端末で前記携帯通信端末に記憶されているユーザＩＤおよびプレイする際に発行されたパスワードを前記サーバへ送信することで利用者のスコア、打球情報、ランキング情報、コース図データを受信する手段と、利用者のスコアと、各ホールのコース図と、コース図上に打球位置とクラブ選択と飛距離と、ランキング情報とを印刷する手段を備えたことを特徴とするゴルフスコア評価システム。
【発明の詳細な説明】
【技術分野】
【０００１】
本発明は、ゴルフスコアの入力および評価出力方法に関し、詳しくはゴルフプレイヤが、打球情報を携帯通信端末を用いて入力し、今後の検討資料にできる打球情報を出力するゴルフスコア評価システムに関する。
【背景技術】
【０００２】
従来、ゴルフプレイヤはスコアカードに記入されたスコアを記録に残す場合はスコアカードそのものを残すか、スコア管理プログラムによってスコアカード記入内容を自宅コンピュータに入力していた。
【０００３】
また、従来技術（特許文献）としては、コース図を表示し打球位置が入力できるゴルフスコア表示装置があるが、あくまで自分のプレイした内容を記録するものであり他人と比較し自分の技量がどの程度のものであるかが判断しにくかった。
【特許文献１】特許第３６６１１５８号
【発明の開示】
【発明が解決しようとする課題】
【０００４】
コースを回っている最中に打球情報を入力することによりプレイ終了後すぐにスコア，コース図上の打球情報，ゴルフ場内および全国でのスコアランキングを印刷することができ、今後のプレイ検討の資料とすることができ、スコアランキングを知ることによって自分の技量を図ることができるゴルフスコア評価システムを提供することを課題とする。
【課題を解決するための手段】
【０００５】
本発明は上記目的を達成するため、インターネットに接続可能な利用者の携帯通信端末と、インターネットに接続されたサーバと、インターネットに接続されたゴルフ場端末を備え、利用者がプレイ前にインターネットに接続されたサーバから利用者の携帯通信端末にインターネットを介しゴルフ場のコースデータを受信し、プレイ中、打球情報およびスコア入力したデータをプレイ終了後サーバに送信することによりスコアランキングが計算され、ゴルフ場端末にてサーバから利用者のスコア，打球情報およびランキング情報を受信し印刷するゴルフスコア評価システムであって、前記携帯通信端末は、前記サーバからプログラムをダウンロードし記憶し実行することができ、初めて利用する場合はユーザ情報を前記サーバへ送信することで前記携帯通信端末固有のユーザＩＤを受信し記憶部で記憶され、ゴルフ場にて使用料金を支払うことで前記ゴルフ場端末から利用者のユーザＩＤおよびゴルフ場コードを前記サーバへ送信することで前記携帯通信端末固有のパスワードを受信し、前記携帯通信端末から記憶部に保存されているユーザＩＤおよびゴルフ場で発行されたパスワードを前記サーバへ送信することでゴルフ場のコースデータを受信することができ、プレイ中、コース図が表示された前記携帯通信端末の画面に打球位置、クラブ選択を入力するとスコア計算および打球距離計算され、プレイ終了後、ユーザＩＤ，パスワード，入力した情報，計算されたスコア，コース毎の打球距離を前記サーバへ送信することでスコア数、パット数、打球情報などから順位付けを行っているランキングファイルと比較し順位を求めランキングファイルの更新を行い、また、ユーザスコアファイルに書き込み、前記ゴルフ場端末で前記携帯通信端末に記憶されているユーザＩＤおよびプレイする際に発行されたパスワードを前記サーバへ送信することで利用者のスコア，各ホールのコース図，コース図上の打球位置とクラブ選択，ランキング情報を受信し印刷することを特徴とする。
【発明の効果】
【０００６】
スコア、コース図上に打球情報、ゴルフ場内のランキングが印刷されることにより今後のプレイ検討資料となり、ゴルフ場内のランキングを知ることによって自分の技量を図ることができる。
【０００７】
携帯通信端末に利用者所有の携帯電話が利用できるため、多くの人がこのシステムを利用することができる。
【０００８】
ランキング評価されるため、このシステムを導入しているゴルフ場はリピート客の増加が見込まれる。
【発明を実施するための最良の形態】
【０００９】
以下に本発明の一実施形態を詳細に説明する。
【実施例】
【００１０】
本実施の携帯通信端末は、プログラムをユーザが実装し実行することができる携帯電話を利用して説明する。
【００１１】
図１はゴルフスコア評価システム全体を示す全体構成図である。
インターネットに接続されたサーバ１は、ユーザＩＤ、ユーザ情報、パスワード、ゴルフ場コースデータ、ユーザスコアデータ、ランキングデータなど各種のデータが保存されており、必要なデータのやり取りを行うものである。
【００１２】
携帯通信端末２は、利用者所有物であり、移動体通信網経由でインターネットに接続されユーザ登録、コースデータのダウンロード、コース図の表示、打球情報の入力、スコアおよび打球情報の送信を行うものである。
【００１３】
ゴルフ場端末３Ａは、インターネットに接続されており利用者へのサービスを行うものである。ゴルフ場端末３Ａは、コースデータのダウンロードを許可するためのパスワードを発行したり、利用者のスコアデータをプリンタ３Ｂで印刷することができる。
【００１４】
自宅ＰＣ４Ａは、インターネットに接続しサーバへのスコア要求を行うことでスコアを保存しプレイ結果から自身のプレイ内容を検討することができるもである。
【００１５】
図２は、システム全体のデータの流れを示す構成図である。
利用者は携帯通信端末２に携帯通信端末用のプログラムをダウンロードしておく（Ｓ１０）。利用者は初めて利用する前に携帯通信端末２でユーザ情報の入力を行い（Ｓ１１）、ユーザ登録を行う（Ｓ１２）ことによりサーバから携帯通信端末固有のユーザＩＤが発行され（Ｓ１３）、携帯通信端末２のデータ記憶部に記憶される。
【００１６】
利用者はゴルフ場にてシステムの利用料金の支払いとユーザＩＤを提示し、ゴルフ場端末３ＡでユーザＩＤを入力することにより、ゴルフ場端末３Ａはゴルフ場コードとユーザＩＤをサーバ１へ送信する（Ｓ１４）。サーバ１からはコースデータをダウンロードするためのパスワードが発行される（Ｓ１５）。
【００１７】
利用者は携帯通信端末２からパスワードを入力し、サーバ１へユーザＩＤとパスワードを送信する（Ｓ１６）とゴルフ場のコースデータをダウンロードすることができる（Ｓ１７）。利用者はコースデータをダウンロードした携帯通信端末２を持ちコースへ出てプレイを行う。
【００１８】
利用者はプレイ中、打球位置やクラブ種類などの打球情報を入力する（Ｓ１８）ことによりスコアが決定される。プレイ終了後、利用者はサーバへスコアデータを送信する（Ｓ１９）。
【００１９】
サーバは受信したスコアデータから利用者のランキングを計算する（Ｓ２０）。
【００２０】
利用者はプレイ終了後、ゴルフ場端末３ＡでユーザＩＤとパスワードを入力する（Ｓ２１）ことによりサーバ１からスコア、打球情報、ランキング情報等を受信し（Ｓ２２）、印刷する（Ｓ２３）。
【００２１】
利用者は、自宅に帰宅した後、自宅ＰＣ４Ａをインターネットに接続することによりスコアデータ等を受信することができプレイ結果を保存することができる。利用者はいつでも自宅ＰＣで過去のプレイ結果を見ることができ、今後のプレイに生かすことができる。
【００２２】
図３はサーバ内のデータベースを示す構成図である。
データベースはユーザ情報マスタ、パスワードリストデータ、ゴルフ場別コースデータ、ユーザ別スコアデータ、ランキングデータ、プログラム管理で構成されている。
【００２３】
利用者の携帯通信端末を本システムで利用できるようにするためには利用者の情報を登録する必要がある。利用者の情報を携帯通信端末から登録するとインターネットを介してサーバ内のユーザ情報マスタに登録される。
【００２４】
図４は、ユーザ情報マスタの内容である。携帯通信端末から送信されてくるユーザ情報に登録日時および新規の固有のユーザＩＤが付けられ、ユーザＩＤが携帯通信端末に送信される。
【００２５】
図５は、パスワードリストデータの内容である。利用者がプレイする前にゴルフ場のコースデータを携帯通信端末にダウンロードするためのパスワードが記録されたものである。このパスワードリストデータには利用者のユーザＩＤとパスワードが一対となっている。利用者がゴルフ場にてパスワードの発行を求める際、利用者のユーザＩＤの提示を求められ、ゴルフ場端末でサーバへユーザＩＤとゴルフ場のコードを送信することによってユーザＩＤに対するパスワードが発行される。また、パスワードには使用期限が設定されており使用期限後のパスワードは使用できなくなる。
【００２６】
図６は、ゴルフ場別コースデータの内容である。各ゴルフ場別にコースデータが用意されており、サーバは利用者が入力したパスワードからどのゴルフ場であるかを判断しコースデータを送信する。
【００２７】
図７は、利用者別スコアデータの内容である。各利用者別にかつ、全ゴルフ場対象のスコアデータおよび各ゴルフ場別にスコアデータを記録してあるものである。
【００２８】
全ゴルフ場対象にはゴルフ場を区別しない平均および過去２０回分のトータルスコアデータが記録されており、全国スコアランキングに使用される。
【００２９】
ゴルフ場別データには４種類のデータが記録されており、１つは最新のスコアデータおよび打球情報、１つは過去３回分のスコアデータ、１つは平均トータルスコアデータ、１つは過去２０回分の全ホールのトータルスコアデータである。最新のスコアデータ、打球情報および過去３回分のスコアデータは、主にプレイ結果の印刷、年間スコアランキング、ベストスコアランキングに使用される。過去２０回分の全ホールのトータルスコアデータは、平均トータルスコアデータを算出し、プレイヤ別スコアランキングに使用される。
【００３０】
ランキングデータは、利用者のスコアデータからランキングに必要なデータを計算し、各種ランキングデータと比較しランキングを決定したものである。ランキングデータにはゴルフ場別の年間スコアランキングデータ、ベストスコアランキングデータおよびプレイヤ別スコアランキングデータがある。また、このシステムを採用しているすべてのゴルフ場を対象にした全国ランキングデータもある。
【００３１】
図８は、年間スコアランキングデータの内容である。１年間、ゴルフ場でプレイしたシステム利用者のトータルスコアデータがランキング順に記録されたものである。利用者の最新トータルスコアデータと比較し、順位を決定する。決定後、年間スコアランキングデータの更新が行われる。
【００３２】
図９は、ベストスコアランキングデータの内容である。ゴルフ場を利用したすべてのシステム利用者のトータルスコアデータの内、上位１０００位以内の結果のみ記録されているものである。利用者の最新トータルスコアデータと比較し、順位を決定する。決定後、１０００位以内であればベストスコアランキングデータの更新が行われる。
【００３３】
図１０は、プレイヤ別スコアランキングデータの内容である。ゴルフ場のシステム利用者の内、最低３回以上利用した利用者の過去２０回分以内の平均トータルスコアデータがランキング順に記録されているものである。利用者の平均トータルスコアデータと比較し、順位を決定する。決定後、プレイヤ別スコアランキングデータの更新が行われる。
【００３４】
図１１は、全国スコアランキングデータの内容である。このシステムに登録している利用者すべての平均トータルスコアデータがランキング順に記録されているものである。
【００３５】
図１２は、携帯通信端末の外観構成図である。携帯通信端末は、主にディスプレイ２０１、カーソルキー２０２、決定キー２０３、テンキー２０４、左ソフトキー２０５、右ソフトキー２０６、プログラム起動キー２０７で構成されている。ディスプレイはカラー表示でき高精細のものが望ましい。カーソルキーはホールの選択、打球位置の選択、項目の選択などに使用される。決定キーは各種選択内容の決定に使用される。テンキーは、項目内容の入力、クラブ番号の選択などに使用される。左右ソフトキーは、メニューの表示、項目の選択などに使用される。プログラム起動キーは、携帯通信端末にダウンロードされているプログラムを起動するために使用される。
【００３６】
図１３は、携帯通信端末の構成ブロック図である。携帯通信端末の全体を制御する制御部と、スコアやコース図などの表示を行う表示部と、打球位置やクラブ番号などの入力を行う入力部と、基地局と通信などを行う通信部と、受信した音声や音などを出力するスピーカー部と、音声などを入力するマイク部と、携帯通信端末の各部に電源を供給するためのバッテリーと、各種プログラムが記憶されているプログラム記憶部と、各種データを記憶するデータ記憶部とを備えている。
【００３７】
次に、上記のように構成された本発明に係るゴルフスコア評価システムの動作について詳細に説明する。
【００３８】
まず利用者は、所有の携帯通信端末に本システムの携帯通信端末用プログラムをダウンロードしておく必要があり、サーバ内の携帯通信端末用プログラムが格納されているアドレスよりダウンロードする。
【００３９】
利用者が携帯通信端末用プログラムを初めて起動した場合、図１４のユーザ登録画面が表示される。この画面では、スコア印刷で印刷される名前、インターネット上のＷｅｂ画面でランキング表示されるときに表示されるニックネーム、出身地、ランキング計算に用いられる生年月日、ハンデキャップ等を入力しサーバに送信する。サーバは受信したユーザ情報をユーザ情報マスタに登録すると、携帯通信端末固有のユーザＩＤを発行する。携帯通信端末はユーザＩＤを受信し図１３のデータ記憶部に保存される。
【００４０】
図１５は、ゴルフ場端末のＴＯＰ画面である。この画面ではパスワードの発行、スコア印刷画面などの処理項目の選択画面である。
【００４１】
図１６は、ゴルフ場端末のパスワード発行画面である。利用者がゴルフ場に到着し、サービスカウンターにて利用料金の支払いと、携帯通信端末に保存されているユーザＩＤを提示する。ゴルフ場端末のパスワード発行画面でユーザＩＤを入力することによりサーバからシステムの利用許可となるパスワードが発行され表示される。
【００４２】
図１７は、携帯通信端末にこれからプレイするゴルフ場のコースデータをダウンロードするためのパスワード入力画面である。利用者はプレイする前に、ゴルフ場で発行されたパスワードを入力することによりコースデータをダウンロードすることができる。
【００４３】
図１８は、コンペ名入力画面である。コースデータのダウンロード後、この画面が表示され、コンペ名、天候、ＨＤＣＰなどを入力し、登録する。
【００４４】
図１９は、スコア一覧画面である。コンペ名等の登録を済ませると、スコア一覧画面が表示される。また、他の画面からもこの画面へ移動することができる。
画面のＨｏｌｅ、Ｙａｒｄ、Ｐａｒにはコースデータをダウンロードした内容が表示され、Ｓｔｒ、Ｐａｔには打球位置入力画面で入力した打球位置によりスコア数とパット数が表示される（２１１）。打球位置の指定がカップインまで終了していない場合、ホール番号の横に編集中であることを示す印（２１３）が表示される。ＯＵＴコースの合計、ＩＮコースの合計、全ホールの合計が下段に表示される（２１２）。上下のカーソルキーによって画面のカーソル（２１４）が上下に移動することができ、決定キーによってホールを選択することができる。
【００４５】
図２０は、スコア一覧画面で選択したホールのコース図が表示され、打球位置やクラブ種類などの打球情報を入力するコース図表示画面である。最上段にはホール番号、パー数、ヤード数が表示される（２２１）。コース図は、ティーグラウンド、フェアウェイ、ラフ、グリーン、池、バンカー、ＯＢラインなどが色分けされて表示される（２２２）。コース図上にスタート位置（２２４）、カップ位置（２２６）、理想の目標位置（２２５）のマークが表示されている。画面左上には現在のスコア数と直前の飛距離と残り距離数とが表示されている（２２７）。利用者はコース図上のカーソル（２２３）をカーソルキーで移動して決定キーで位置を決定することができる。
【００４６】
図２１は、主なメニュー表示内容である。左右ソフトキーの押下や打球位置決定後のクラブ種類選択時に表示されるメニューである。
【００４７】
図２２は、ティーショットをしたスタート位置選択画面である。ティーグラウンド上にはスタート位置のマークが１つ以上表示されており、カーソルをマーク上に移動すると画面上にＳｔａｒｔと表示され、決定キーを押すとスタート位置が決定される。
【００４８】
打球位置間は直線で結ばれ、最後の打球位置とカーソル間はカーソルの移動とともにラバーバンド表示される。
【００４９】
また、カーソルの移動とともに、前回の打球位置からカーソルまでの距離と、前回の打球位置からカップまでの距離が計算され画面左上に表示される（２２７）。
【００５０】
図２３は、クラブ種類選択画面である。打球位置を決定するとクラブの種類を選択するメニューが表示される。メニュー内のクラブの種類をカーソルキーによってメニューカーソルを移動し決定キーを押すことによって決定できる。
【００５１】
図２４は、クラブ番号選択画面である。クラブの種類を選択した後にクラブ番号を入力する必要がある場合はクラブ番号選択メッセージが表示される。テンキーを押すことによりクラブ番号が決定され、コース図上の打球位置にクラブ種類とクラブ番号が表示される。
【００５２】
打球位置およびクラブの種類を選択するとスコア計算が行われ画面左上に表示される（２２７）。
【００５３】
図２５は、スコア計算の流れを示したものである。ボールの位置が、ＯＢやウォータハザードであれば２打加算され、それ以外の通常位置であれば１打加算される。また、パット数の計算はグリーン図形内での打球数をカウントする。
【００５４】
打球位置およびクラブの種類選択後、左ソフトキーを押しメニューを表示させてペナルティーを選択すると１打罰か２打罰の選択メニューが表示される。いずれかを選択するとスコア数に罰打が加算される。
【００５５】
図２６は、ＯＢ判定選択画面である。カーソル位置が表示されている図形の領域外であると判断された場合、ＯＢであると判断してもよいため利用者にはＯＢ処理方法をメニューで知らせる。利用者は、カーソル位置がＯＢではないと思えばキャンセルを選択し、もう一度位置を指定し直す。
【００５６】
図２７は、ＯＢの打ち直し処理画面である。ＯＢ判定のメニューでＯＢを選択した場合、前回の打球位置からＯＢ位置までの間を破線で結ばれ、利用者は打ち直し後の新しい位置を入力する。ＯＢ選択後、スコアは２打加算される。
【００５７】
図２８は、ウォータハザード判定選択画面である。カーソル位置がウォータハザード内であると判断された場合、利用者にウォータハザード処理方法をメニューで知らせる。利用者は、カーソル位置がウォータハザードではないと思えばキャンセルを選択し、もう一度位置を指定し直す。
【００５８】
図２９は、ウォータハザードに入った場合の打ち直し処理画面である。前回の打球位置からウォータハザード内のボール位置までの間を破線で結ばれ、利用者は打ち直し後の新しい位置を入力する。メニューの打ち直しを選択後、スコアに２打加算される。
【００５９】
図３０は、ウォータハザードに入った場合のボール位置変更処理画面である。前回の打球位置からウォータハザード内のボール位置までの間を破線で結ばれ、カップ位置から現在のカーソル位置までラバーバンドが表示され、利用者はルールに従ってボール位置を変更することができる。メニューの位置変更を選択後、スコアに２打加算される。
【００６０】
図３１は、ボールがカップインしたカップ位置選択画面である。グリーン上にはカップ位置のマークが１つ以上表示されており、カーソルをマーク上に移動すると画面上にＣｕｐＩｎと表示され、決定キーを押すとカップイン位置が決定される。
【００６１】
図３２は、入力した打球位置、クラブの種類を編集するための編集内容選択画面である。
【００６２】
図３３は、一度入力した打球位置のクラブを変更する場合のクラブ変更画面である。カーソルキーを押すことによりカーソルが入力済みの打球位置上を移動する。決定キーを押すことにより、クラブ種類選択メニューが表示されクラブを選択する。クラブ番号の入力が必要な場合は番号入力メッセージが表示される。
【００６３】
図３４は、一度入力した打球位置を変更する場合の位置変更画面である。カーソルキーを押すことによりカーソルが入力済みの打球位置上を移動する。決定キーを押すことにより変更する打球位置が決定される。カーソルキーを押すことによりカーソルが移動し、前後の打球位置からカーソルまでラバーバンド表示される。ただし、スタート位置またはカップ位置を選択した場合はカーソルキーによってカーソルが次のスタート位置またはカップ位置に移動する。ここで決定キーを押すことにより位置変更が完了する。
【００６４】
打球位置を削除する場合は、カーソルキーを押すことによりカーソルが入力済みの打球位置上を移動し、決定キーを押すことにより削除する打球位置が決定され削除される。ただしスタート位置からカップインまでの途中の打球位置が入力されている場合、スタート位置を選択すると入力されている打球位置すべてを削除するかのメッセージが表示され決定キーを押すことによりすべてが削除される。
【００６５】
打球位置を追加したい場合は、カーソルキーを押すことによりカーソルが入力済みの打球位置上を移動し、決定キーを押すことにより追加する打球位置が決定される。追加される位置は選択した打球位置の次に追加される。カーソルキーを押すことによりカーソルが移動し、前後の打球位置からカーソルまでラバーバンド表示される。ただし、カップ位置を選択することはできない。
【００６６】
図３５は、スコア送信画面である。スコア一覧画面のメニューでスコア送信を選択すると編集中のコースがなければサーバへスコア送信される。また、編集中のコースがある場合は図３６の画面が表示され、確認後再度送信する。
【００６７】
図３７は、利用者がプレイ終了後送信したスコアを印刷するためのゴルフ場端末のスコア印刷画面である。この画面では、利用者の持つ携帯通信端末のユーザＩＤとゴルフ場で発行されたパスワードを入力し印刷ボタンを選択しサーバへ送信する。サーバからは利用者のスコアデータ等を受信し、スコア内容の印刷が開始される。
【００６８】
図３８および図３９は、スコア印刷内容である。印刷内容には２種類あり、図３８のスコア、ＯＢ数、バンカーイン数、パーキープ率、フェアウェイキープ率、ランキング情報などの数値による内容と、図３９の各コース図とともに打球情報が印刷される内容とからなる。
【図面の簡単な説明】
【００６９】
【図１】ゴルフスコア評価システム全体を示す全体構成図である。
【図２】システム全体のデータの流れを示す構成図である。
【図３】サーバ内のデータベースを示す構成図である。
【図４】ユーザ情報マスタの内容である。
【図５】パスワードリストデータの内容である。
【図６】ゴルフ場別コースデータの内容である。
【図７】利用者別スコアデータの内容である。
【図８】年間スコアランキングデータの内容である。
【図９】ベストスコアランキングデータの内容である。
【図１０】プレイヤ別スコアランキングデータの内容である。
【図１１】全国スコアランキングデータの内容である。
【図１２】携帯通信端末の外観構成図である。
【図１３】携帯通信端末の構成ブロック図である。
【図１４】ユーザ登録画面である。
【図１５】ゴルフ場端末のＴＯＰ画面である。
【図１６】ゴルフ場端末のパスワード発券画面である。
【図１７】コースデータをダウンロードするためのパスワード入力画面である。
【図１８】コンペ名入力画面である。
【図１９】スコア一覧画面である。
【図２０】コース図表示画面である。
【図２１】メニュー表示内容である。
【図２２】ティーショットをしたスタート位置選択画面である。
【図２３】クラブ種類選択画面である。
【図２４】クラブ番号選択画面である。
【図２５】スコア計算の流れを示したものである。
【図２６】ＯＢ判定選択画面である。
【図２７】ＯＢの打ち直し処理画面である。
【図２８】ウォータハザード判定選択画面である。
【図２９】ウォータハザードに入った場合の打ち直し処理画面である。
【図３０】ウォータハザードに入った場合のボール位置変更処理画面である。
【図３１】カップインしたカップ位置選択画面である。
【図３２】打球情報の編集内容選択画面である。
【図３３】打球位置のクラブを変更する場合のクラブ変更画面である。
【図３４】打球位置を変更する場合の位置変更画面である。
【図３５】スコア送信画面である。
【図３６】編集確認画面である。
【図３７】ゴルフ場端末のスコア印刷画面である。
【図３８】数値によるスコア印刷内容である。
【図３９】コース図によるスコア印刷内容である。
【符号の説明】
【００７０】
１      サーバ
２      携帯通信端末
３Ａ    ゴルフ場端末
３Ｂ    ゴルフ場プリンタ
４Ａ    自宅ＰＣ
４Ｂ    自宅プリンタ
５      インターネット
２０１  ディスプレイ
２０２  カーソルキー
２０３  決定キー
２０４  テンキー
２０５  左ソフトキー
２０６  右ソフトキー
２０７  プログラム起動キー
２１１  ホール別スコア表示
２１２  合計スコア表示
２１３  編集中マーク
２１４  ホール選択カーソル
２２１  ホール情報表示
２２２  コース図
２２３  カーソル
２２４  スタート位置
２２５  目標位置
２２６  カップ位置
２２７  スコア数および飛距離
【図３８】
2007190230.tif 000003
【図１】
2007190230.tif 000004
【図２】
2007190230.tif 000005
【図３】
2007190230.tif 000006
【図４】
2007190230.tif 000007
【図５】
2007190230.tif 000008
【図６】
2007190230.tif 000009
【図７】
2007190230.tif 000010
【図８】
2007190230.tif 000011
【図９】
2007190230.tif 000012
【図１０】
2007190230.tif 000013
【図１１】
2007190230.tif 000014
【図１２】
2007190230.tif 000015
【図１３】
2007190230.tif 000016
【図１４】
2007190230.tif 000017
【図１５】
2007190230.tif 000018
【図１６】
2007190230.tif 000019
【図１７】
2007190230.tif 000020
【図１８】
2007190230.tif 000021
【図１９】
2007190230.tif 000022
【図２０】
2007190230.tif 000023
【図２１】
2007190230.tif 000024
【図２２】
2007190230.tif 000025
【図２３】
2007190230.tif 000026
【図２４】
2007190230.tif 000027
【図２５】
2007190230.tif 000028
【図２６】
2007190230.tif 000029
【図２７】
2007190230.tif 000030
【図２８】
2007190230.tif 000031
【図２９】
2007190230.tif 000032
【図３０】
2007190230.tif 000033
【図３１】
2007190230.tif 000034
【図３２】
2007190230.tif 000035
【図３３】
2007190230.tif 000036
【図３４】
2007190230.tif 000037
【図３５】
2007190230.tif 000038
【図３６】
2007190230.tif 000039
【図３７】
2007190230.tif 000040
【図３９】
2007190230.tif 000041